(57)【特許請求の範囲】
【請求項１】
ソール（２）およびアッパー（３）を備える靴（１）であって、
前記アッパー（３）は、靴ひもを備えず、第１の材料区分（４）と第２の材料区分（５）を有し、
前記第１の材料区分（４）は、前記靴（１）の着用者の脚周りに少なくとも部分的に伸張し、
前記第２の材料区分（５）は、前記第１の材料区分（４）の外側に配置され、この第２の材料区分（５）は前記第１の材料区分（４）を少なくとも部分的に覆い、前記第２の材料区分（５）は形状記憶効果を有するプラスチック材料から成り、
前記第２の材料区分（５）は、前記靴（１）の前記着用者の前記脚に対して前記第１の材料区分（４）を押圧するように第１の引張力を第１の低温で前記第１の材料区分（４）にかけるように、かつ、第２の高温で第２の引張力を前記第１の材料区分（４）にかけ、この第２の引張力は前記第１の引張力より大きく、
前記第２の引張力は、バッテリ（７）からの電流で前記第２の材料区分（５）が加熱され前記形状記憶効果の形状になることによって生じ、
前記第２の材料区分（５）の前記材料は、網または格子のように設計されて、前記第１の材料区分（４）上に載置され、前記網または前記格子は複数の開口部（６）を含む
ことを特徴とする靴。
【請求項２】
前記第２の材料区分（５）は、薄層コーティングとして前記第１の材料区分（４）上に施される
請求項１に記載の靴。
【請求項３】
前記第２の材料区分（５）の前記材料は、前記第１の温度が２５℃より低く、前記第２の温度が３５℃より高くなるように設計される
請求項２に記載の靴。
【請求項４】
前記第２の材料区分（５）の前記材料は、熱可塑性ポリウレタン樹脂（ＴＰＵ）から成る、またはこの材料を含む
請求項１ないし３のいずれかに記載の靴。
【請求項５】
前記熱可塑性ポリウレタン樹脂はブロック共重合体を形成するハードセグメントおよびソフトセグメントを含む
請求項４に記載の靴。
【請求項６】
前記ハードセグメントはポリウレタン基から成る
請求項５に記載の靴。
【請求項７】
前記ソフトセグメントは長鎖ポリエステル領域から成る
請求項５または６に記載の靴。
【請求項８】
前記第２の材料区分（５）の前記材料は導電性を有する
請求項１ないし７のいずれかに記載の靴。
【請求項９】
前記第２の材料区分（５）の前記導電性材料は、バッテリ（７）と連結しており、このバッテリによって、前記導電性材料には、スイッチ要素（８）を介して、電気エネルギーが充電できる
請求項８に記載の靴。
【請求項１０】
前記バッテリ（７）は充電式である
請求項９に記載の靴。
【請求項１１】
請求項１ないし１０のいずれかに記載の靴（１）を締める方法であって、
ａ）前記靴（１）を履くステップであって、形状記憶効果を有するプラスチック材料から作られる前記第２の材料区分（５）は第１の低温を有し、前記第１の温度は２５℃以下である、履くステップと、
ｂ）前記第２の材料区分（５）が前記第１の温度の時よりも高い引張力を前記靴（１）の前記着用者の前記脚にかけるように、形状記憶効果を有するプラスチック材料から作られた前記第２の材料区分（５）を第２の高温まで加熱するステップであって、前記第２の温度は３５℃を上回る、加熱するステップと、を含む
ことを特徴とする方法。
【請求項１２】
前記第２の材料区分（５）の加熱は、電流が充電される前記第２の材料区分（５）に導電性材料を使用する
請求項１１に記載の方法。
【請求項１３】
前記第２の材料区分（５）の加熱は、バッテリ（７）から前記第２の材料区分（５）の前記材料に電流を誘導するスイッチ要素（８）を作動させることによって行う
請求項１２に記載の方法。
【発明の詳細な説明】
【技術分野】
【０００１】
本発明は、靴、特に、ソールおよびアッパーを備える運動靴に関する。このアッパーは靴の着用者の脚周りに少なくとも部分的に伸張する第１の材料区分を有する。さらに、本発明はこのような靴を締める方法に関する。
【背景技術】
【０００２】
現状技術における一般的な種類による靴が周知である。アッパーは、靴のソールと連結され、靴を履いた後に着用者の脚で締められる。従って、典型的には、互いに隣接して配置されるアッパーの２つの引張区分を引っ張る靴ひもが使用される。
【０００３】
他の解決策は、着用者の脚で靴を締めるための回転締結具を使用する。
【０００４】
しかしながら、靴ひもまたは引張ワイヤを引っ張ることによる、対応する締めるステップは、着用者の脚で靴を十分に固定するために行われなければならないことは、一般に常に言えることである。
【発明の概要】
【発明が解決しようとする課題】
【０００５】
本発明の目的は、一般的な靴をさらに進展させること、および、着用者の脚で靴をより快適なやり方で締めることを可能にすることができるようになる、対応する、靴を締める方法を提案することである。それによって、好ましくは、靴ひもまたは引張ワイヤを全く使用せずに上記を行うことを可能にするものとする。
【課題を解決するための手段】
【０００６】
本発明による目的の解決策は、第２の材料区分が第１の材料区分の外側に配置され、この第２の材料区分は第１の材料区分を少なくとも部分的に覆い、第２の材料区分は形状記憶効果（記憶効果）を有するプラスチック材料から成ることを特徴とする。
【０００７】
それによって、第２の材料区分は、薄層コーティングとして第１の材料区分上に施されるのが好ましい。
【０００８】
第２の材料区分は、好ましくは、靴の着用者の脚に対して第１の材料区分を押圧するように第１の引張力（該当する場合（ほぼ）ゼロとすることができる力）を第１の低温で第１の材料区分にかけるように、かつ、第２の高温で第２の引張力を第１の材料区分にかけ、この第２の引張力は第１の引張力より大きい、好ましくは、第１の引張力より少なくとも２０％大きいように設計される。それによって、第２の材料区分の材料は、好ましくは、第１の温度が２５℃より低く、第２の温度が３５℃より高く、好ましくは４０℃より高くなるように設計される。
【０００９】
第２の材料区分の材料は、好ましくは、熱可塑性ポリウレタン樹脂（ＴＰＵ）から成る、またはこの材料を含む。熱可塑性ポリウレタン樹脂は好ましくは、ブロック共重合体を形成するハードセグメントおよびソフトセグメントを含む。ハードセグメントは好ましくは、ポリウレタン基から成る。ソフトセグメントは好ましくは、長鎖ポリエステル領域から成る。
【００１０】
第２の材料区分の材料は、具体的には、網または格子のように設計されて、第１の材料区分上に載置されるのが好ましく、この網または格子は複数の開口部を含むのが好ましい。
【００１１】
本発明の具体的に好ましい実施形態によると、第２の材料区分の材料は導電性を有する。この場合、言い換えれば、さらには、第２の材料区分の導電性材料は、バッテリと連結しており、このバッテリによって、導電性材料には、スイッチ要素を介して、電気エネルギーおよび電流がそれぞれ充電できるまたは流れることができる。そうすることによって、第２の材料区分の加熱が生じる。
【００１２】
それによって、バッテリは充電式であるのが好ましい。充電プロセスでは、それによって、誘導が行われ、この目的のために、靴は対応するローディングステーション上に設置される。
【００１３】
提案された、靴を締める方法は、本発明によると、
ａ）靴を履くステップであって、形状記憶効果を有するプラスチック材料から作られる第２の材料区分は第１の低温を有し、第１の温度は好ましくは２５℃以下である、履くステップと、
ｂ）その後、第２の材料区分が第１の温度の時よりも高い引張力を靴の着用者の脚にかけるように、形状記憶効果を有するプラスチック材料から作られた第２の材料区分を第２の高温まで加熱するステップであって、第２の温度は好ましくは、３５℃を上回る、具体的には４０℃を上回るのが好ましい、加熱するステップと、を含む。
【００１４】
それによって、第２の材料区分の加熱は、好ましくは、電流が充電される第２の材料区分に導電性材料を使用することによって行われる。とりわけ、第２の材料区分の加熱は、バッテリから第２の材料区分の材料に電流を誘導するスイッチ要素を作動させることによって行うことができる。
【００１５】
着用時の快適さを高めるために、アッパーは（一種のインナー靴のような）ソックス状インサートを備えるようにすることができ、このインサートは第１の材料区分の内部に配置可能である。その次に、ソックス状区分の内部に、インナーソールが配置可能である。
【００１６】
好ましくは、引張要素として機能する網状に設計される第２の材料区分は、脚を入れる領域に補強周縁部を備えることができ、これは平坦なプラスチック製バンドによって形成可能である。それによって、網状構造はソール領域まで下に伸張でき、また、靴の底部側の周りに全面的に伸張できる。
【００１７】
よって、本発明は、靴を締めることが、具体的には、形状記憶のプラスチック材料の性質を使用することによって行われる着想に基づいている。靴を履いた後に上記の材料を選択的に加熱することによって、第２の材料区分はわずかに収縮し、それによって、アッパーの第１の材料区分に所望の引張力をかける。
【００１８】
本発明による形状記憶のプラスチックから作られる第２の材料区分に関連して、下記が述べられるものとする。このような材料は、マークの付いたところに利用可能である（商標：Ｄｅｓｍｏｐａｎ（登録商標）、とりわけ、Ｄｅｓｍｏｐａｎ  ＤＰ  ２７９５Ａ  ＳＭＰ）。これは、熱可塑性ブロック共重合体であり、この性質は選択的に影響を受ける可能性がある。材料の線状重合体分子は、ガラス転移温度が低い柔軟弾性セグメント、および融点が高い剛性結晶セグメントの組み合わせから成る。それらの硬質相および軟質相の選択的な変動によって、材料の性質は影響を受ける可能性がある。
【００１９】
材料は、熱可塑性ポリウレタン樹脂（ＴＰＵ）であり、形状記憶性質を有する。このプラスチック材料から成る第２の材料区分は、一時的に別の形状になる可能性があり、同形状に固定される可能性もある。よって、ソフトセグメントのみが溶融される場合、意図してその部分を一時的形状にすることが可能であり、この一時的形状をソフトセグメントの結晶化によって物理的に架橋し、そうすることによってこの形状を安定させることが可能である。材料があらかじめ定められた温度（いわゆる切換温度）を上回るまで加熱される場合、その元の形状を「記憶」し、再びその形状を取る。この効果は、現在は、靴を締めるために使用される。材料成分の対応する選定によって、切換温度を約４０℃にあらかじめ定めることができる。
【００２０】
形状記憶効果は、ＴＰＵのハードセグメントが転移温度が最も高い相を形成する事実に基づいている。永続的形状にするために材料が射出成形される時に、この温度を超過する。長鎖ポリエステル領域から成るＴＰＵのソフトセグメントは、かなり低い転移温度のさらなる相を形成する。切換温度に達する時、ソフトセグメントのみが溶融されることで、その部分を一時的形状にすることができる。冷却中に、ソフトセグメントは結晶化によって物理的に結び付き、その部分はこの形状のままである。そして、ソフトセグメント結晶子が後に溶融することで、形状記憶効果が引き起こされる。
【００２１】
有益には、第２の材料区分の実現によって、述べられたプラスチック材料を使用して、締めるプロセスを実行後に、靴は、着用者の脚に対して最適に載置され、着用者の脚に対するまさしく等しい圧力分布が得られる。
【図面の簡単な説明】
【００２２】
【図１】本発明による実施例の説明図
【発明を実施するための形態】
【００２３】
図面に、本発明の一実施形態が示されている。
図において、本発明による靴の一実施形態を見ることができる。靴１は、ソール２、およびソール２と連結されるアッパー３を有する。アッパー３は、基層として第１の材料区分４を有し、この材料区分は、連続的かつ薄層状に設計され、着用者の脚を取り囲む（図示せず）。第１の材料区分４上に、第２の材料区分５が配置され、現在は、これは、複数の開口部６を含む網状に設計されている。アッパー３の内部は、着用者の脚を取り囲むソックス状区分９によって形成される。
【００２４】
第２の材料区分５が形状記憶効果を有するプラスチック材料から成ることは不可欠である。この材料に関しては、既に具体的な説明が上でなされている。
【００２５】
述べられた形状記憶効果は、既に説明されたように、形状記憶重合体が網目構造を含み、機械的性質の大幅な変化に伴って、相転移が過剰になるという事実に基づいている。上述された材料のＤｅｓｍｏｐａｎ（登録商標）のＤＰ  ２７９５Ａ  ＳＭＰは、相偏析ブロック共重合体としてこれらの要件を満たす。
【００２６】
述べられた材料は、要するに、追加の相転移の存在によって、従来のＴＰＵとは異なっている。これらの相転移は、ここで、形状記憶重合体の応用で使用される。よって、材料が力を受けて一時的形状になるような機械的コンディショニングが可能である。
【００２７】
３４℃〜４５℃の切換温度がもたらされ、この温度で、ソフトセグメントの結晶化が生じる。
【００２８】
図において、ソール２にバッテリ７が配置されているのを見ることができる。概略的にのみ示されるケーブルは、第２の材料区分５と連結され、第２の材料区分５の材料は、スイッチ要素８（電気スイッチ）を介してバッテリ７から電流を流すことができる。これには、第２の材料区分５の材料が、例えば、プラスチック材料内にカーボン粒子を含めることによって可能である導電性を有するように作られたという事実によって到達する。第２の材料区分を流れている電流は、材料の必要とされる（が比較的小さい）加熱を生じさせるが、これは、材料がオーム抵抗として作用するため、バッテリからの電流が第２の材料区分５の材料を流れている場合、材料区分５が加熱されるからである。これがおよそ４０℃を上回る（すなわち切換温度を上回る）温度まで行われる場合、締めるプロセスを引き起こす、説明した形状記憶効果が生じる。
【符号の説明】
【００２９】
１  靴
２  ソール
３  アッパー
４  第１の材料区分
５  第２の材料区分
６  開口部
７  バッテリ
８  スイッチ要素
９  ソックス状区分
【図１】
0006567694.tif 000002